(57)【要約】【課題】  車体に予め固定したブラケットによって簡単かつ安価に、しかも高精度に安定して連接できるようにする。【解決手段】  連接する車体２、３どうしに予めブラケット４、５を固定して互いの連結部４ａ、５ａが上下に対向できるようにしておき、これら上下ブラケット４、５の連結部４ａ、５ａを、車体２、３を伴い上下に対向させて近付けながらそれらと前記軸受６との縦軸Ｚ方向の嵌合による位置保持を満足して連結するのに、それら上下連結部４ａ、５ａ上の前記縦軸Ｚ方向に直角な支持面４ｂ、５ｂにボルト止めする上下中間ハウジング８、１１の位置調節によってそれらに保持し、また保持している前記軸受６の保持位置を整合させて前記位置保持状態とした後、上下中間ハウジング８、１１をボルト止めして前記連結を終え、車体２、３間を連接することにより、上記目的を達成する。【選択図】  図１
2005297682.tif 000002
【特許請求の範囲】
【請求項１】
車体間を、それら車体から延びるブラケットどうしの軸受を介した連結により連接する、車体の連接方法であって、
連接する車体どうしに予めブラケットを固定して互いの連結部が上下に対向できるようにしておき、これら上下ブラケットの連結部を車体を伴い上下に対向させて近付けながらそれらと前記軸受との縦軸方向の嵌合による位置保持を満足して連結するのに、それら上下連結部上の前記縦軸方向に直角な支持面にボルト止めする上下中間ハウジングの位置調節によってそれらに保持し、また保持している前記軸受の保持位置を整合させて前記位置保持状態とした後、上下中間ハウジングをボルト止めして前記連結を終え、車体間を連接することを特徴とする車体の連接方法。
【請求項２】
一方の車体と他方の車体とに予め固定されて少なくとも互いの連結部が上下に対向し合う上下ブラケットと、これら上下ブラケットの連結部間を連結する軸受と、前記軸受と上方から縦軸方向に嵌合して位置保持し、上ブラケットの前記縦軸に直角な面に対してその縦軸に直角な向きの位置調節範囲の遊びを持った保持関係にてボルト止めされる上中間ハウジングと、下軸受部材と下方から縦軸方向に嵌合して位置保持し、下ブラケットの前記縦軸に直角な面に対してその縦軸に直角な向きの位置調節範囲の遊びを持った保持関係にてボルト止めされる下中間ハウジングと、を備えて車体間を連接することを特徴とする車体の連接装置。
【請求項３】
上中間ハウジングは、上ブラケットに対し下方から、下中間ハウジングは下ブラケットに対し上方から、それぞれ縦軸方向に嵌合して設けられている請求項２に記載の車体の連接装置。
【請求項４】
前記軸受は、球面軸受である請求項２、３のいずれか１項に記載の車体の連接装置。
【請求項５】
球面軸受は縦軸方向に着脱できるように嵌まり合い案内し合う半球未満の凹球面と、半球未満に限らない凸球面とを持った上下軸受部材よりなり、上軸受部材が上中間ハウジングに縦軸方向に嵌合して固定され、下軸受部材が下中間ハウジングに縦軸方向に嵌合して固定される請求項４に記載の車体の連接装置。
【請求項６】
上下ブラケットは対応する車体に対して溶接接合されている請求項１〜５のいずれか1項に記載の車体の連接装置。
【請求項７】
下ブラケットは台車を有した車体に設けられ、上ブラケットは台車を有しない車体に設けられている請求項２〜６のいずれか1項に記載の車体の連接装置。
【請求項８】
前記連接は車体間の下部どうしで行い、車体間の他の部分での１つ以上の異種の連接装置と協働する請求項２〜７のいずれか１項に記載の車体の連接装置。
【発明の詳細な説明】
【技術分野】
【０００１】
本発明は走行する車体の連接方法とその装置に関するものである。
【背景技術】
【０００２】
従来、バリアフリーに対応するなどのために車両を低床化する方法として、本発明の実施の形態を示す図１を参照して台車１を有した車体２に、台車を有しない車体３を連接してフローティング支持し、車体３が台車を有していないことで低床化することが鉄道車両、特に路面電車で知られている（例えば、特許文献１、２参照）。
【０００３】
メインの連接は、車体２、３間のヨーイングに主として対応しながら、車体２による車体３の支持と牽引力の伝達とを図る、つまり前後、左右、さらには上下の荷重を伝達するようになっている。特許文献２の図６〜図８に示された直交する２軸による自在連結手段および、軌条車両用旋廻軸受装置として提案された球面軸受を用いたもの（例えば、特許文献３参照。）などは、ヨーイング、ピッチング、ローリングのそれぞれと、それらの複合した相対移動に対応できる。これら軸受の内の金属部材間接触に限ったものの場合は弾性部材を介してヨーイングやピッチングなどに対応するものに比し耐久性の高いものとなる。
【特許文献１】特開２００１−３０１６１４号公報
【特許文献２】特開２００３−４８５３９号公報
【特許文献３】特開平８−２３２９４３号公報
【発明の開示】
【発明が解決しようとする課題】
【０００４】
ところで、車体間の連接にガタツキやそれによる異音発生、偏摩耗、損傷といったことがないようにするには、軸受はその種類の別なく連結する２つのブラケットの双方に遊びなく、より好適にはシマリ嵌め程度の高い嵌合度を持って支持し位置保持する必要がある。そのためには、大きくかつ重く本来加工精度の問題など相応しくなく、成形や製作しっ放しか、取り付け面の平坦面加工程度で使用されることが大半であるブラケット類に対して、軸受を嵌合し保持する孔などを高精度に加工する必要が生じ製作コストが勢い上昇する。
【０００５】
しかも、車体に予め固定したブラケットどうしを、軸受との、あるいはそれを構成する軸受部材どうしの、前記のように高精度な嵌合ないしは圧入を伴って連結するには、双方の位置合わせが困難で難しい。そこで、特許文献２、３に記載されているようにブラケットは車体に対してボルトで締結するようにして、ボルトを緩めた状態で必要な位置合わせができるようにされる。しかし、ボルトを緩めた状態ではブラケットおよびそれへの装備部材全体の位置や姿勢が不安定で、全体が重く取り扱い難いことも手伝って、前記連結作業は未だ容易でなく、作業能率は上がらない。
【０００６】
また、ボルト止めしたブラケットどうしを連結することで、台車つきの車体により台車なしの車体を安定にフローティング支持することが困難なため、取付け面積を大きくしたり、ボルト数を多くしたり、取付け面に特許文献３に記載されているような滑り止め用の凹凸を形成したりする必要があってさらに高価につく。
【０００７】
本発明の目的は、車体に予め固定したブラケットによって簡単かつ安価に、しかも高精度に安定して連接できる車体の連接方法とその装置を提供することにある。
【課題を解決するための手段】
【０００８】
上記のような目的を達成するために、本発明の車体の連接方法は、車体間を、それら車体から延びるブラケットどうしの軸受を介した連結により連接する、車体の連接方法であって、連接する車体どうしに予めブラケットを固定して互いの連結部が上下に対向できるようにしておき、これら上下ブラケットの連結部を車体を伴い上下に対向させて近付けながらそれらと前記軸受との縦軸方向の嵌合による位置保持を満足して連結するのに、それら上下連結部上の前記縦軸方向に直角な支持面にボルト止めする上下中間ハウジングの位置調節によってそれらに保持し、また保持している前記軸受の保持位置を整合させて前記位置保持状態とした後、上下中間ハウジングをボルト止めして前記連結を終え、車体間を連接することを特徴としている。
【０００９】
このような構成では、車体に予め固定したブラケットどうしを、それらの連結部を車体を伴い上下に対向させて近付けながら軸受との縦軸方向の嵌合による位置保持を満足して連結し、車体どうしを軸受の種類に応じた相対移動の許容と荷重の伝達が行えるように連接するもので、前記連結のための軸受の保持を上下連結部上の前記縦軸に直角な方向の支持面にボルト止めする上下中間ハウジングの位置調節によって、それに保持し、また保持している軸受の保持位置を満足させて、上下ブラケット自体の位置調節無しに、従って、上下連結部上の、上下ブラケットを含めた全体に比して小さく、かつボルト止めを少し緩めた程度の安定した上下中間ハウジングの、互いに分担し合った少ない位置調節により、高い嵌合度にても簡単かつ迅速に連結することができる。しかも、位置調節後の上下中間ハウジングをその位置にボルト止めするだけで、支持面と上下中間ハウジングとのボルト締結圧による摩擦力にて安定するし、ブラケットは位置調節不要で車体に対して溶接などして強固に固定しておけるので、前記高い嵌合度を生かしたブラケットどうしの連結により車体間を高精度に安定して連接することができる。
【００１０】
このような方法を達成する車体の連接装置としては、一方の車体と他方の車体とに予め固定されて少なくとも互いの連結部が上下に対向し合う上下ブラケットと、これら上下ブラケットの連結部間を連結する軸受と、前記軸受と上方から縦軸方向に嵌合して位置保持し、上ブラケットの前記縦軸に直角な面に対してその縦軸に直角な向きの位置調節範囲の遊びを持った保持関係にてボルトで締結される上中間ハウジングと、下軸受部材と下方から縦軸方向に嵌合して位置保持し、下ブラケットの前記縦軸に直角な面に対してその縦軸に直角な向きの位置調節範囲の遊びを持った保持関係にてボルトで締結される下中間ハウジングと、を備えて車体間を連接することを主たる特徴とするものとして、上記方法の手順をたどって連接すればよい。
【００１１】
ここで、上中間ハウジングが、上ブラケットに対し下方から、下中間ハウジングは下ブラケットに対し上方から、それぞれ縦軸方向に嵌合して設けられている、さらなる構成では、
上下ブラケットは、軸受に上下中間ハウジングが上下から縦軸方向に嵌合し合った軸受ブロックを、上下から縦軸方向に嵌合して挟み込む外ハウジング部をなして保持するので、保持が安定し、上下中間ハウジングの位置調節段階での万一の脱落を防止することができる。
【００１２】
また、前記軸受が、球面軸受である、さらなる構成では、
鉄道車両における車体の下部での連接に適用して、車体間のヨーイング、ピッチング、およびローリングに対応できる。
【００１３】
また、球面軸受が縦軸方向に着脱できるように嵌合し合い案内し合う半球未満の凹球面と、半球未満に限らない凸球面とを持った上下軸受部材よりなり、上軸受部材が上中間ハウジングに縦軸方向に嵌合して固定され、下軸受部材が下中間ハウジングに縦軸方向に嵌合して固定される、さらなる構成では、
予め、上ブラケット上の上中間ハウジングへの上軸受部材を嵌合して固定し、および下ブラケット上の下中間ハウジングへの下軸受部材を嵌合して固定しておいて、上下ブラケットにおける連結端部上の上下軸受部材どうしの凹球面および凸球面を、凹球面が半球未満の開放形態であることを利用して縦軸方向に難なく嵌合させて、連結端部間の軸受を介した連結をさらに簡易に達成することができる。
【００１４】
上下ブラケットは対応する車体に対して溶接接合されている、さらなる構成では、
車体に先付けしておけるし、取り付けが強固でかつ位置ずれしない利点がある。
【００１５】
また、下ブラケットは台車を有した車体に設けられ、上ブラケットは台車を有しない車体に設けられている、さらなる構成では、
軸受を介した上下ブラケットの連結によって台車を有した車体で台車を有しない車体をフローティング支持することが、台車を有した車体の下ブラケット上に、台車を有しない車体からの上ブラケットを、軸受を介し受載することで、つまり上下ブラケット間に圧縮力しか働かない支持構造にて達成される。
【００１６】
前記連接は車体間の下部どうしで行い、車体間の他の部分での１つ以上の異種の連接装置と協働する、さらなる構成では、
車体間の荷重伝達性が高まる。
【００１７】
本発明のそれ以上の目的および特徴は、以下の詳細な説明および図面によって明らかになる。本発明の各特徴は、それ単独で、あるいは可能な限りにおいて種々な組合せで複合して採用することができる。
【発明の効果】
【００１８】
本発明の車体の連接方法とその装置によれば、車体に予め固定したブラケットどうしの軸受を介した連結を、軸受を位置保持する上下中間ハウジングによる小さく安定した部材の少ない位置調節だけを伴い、高い位置保持嵌合度を確保して簡単かつ迅速に達成し作業性の向上と作業コストの低減が図れる。また、上下中間ハウジングは締結摩擦力にて調節位置に安定し、ブラケットも位置調節不要で溶接付けなどした強固な固定状態としておけるので、前記高い嵌合度を生かしたブラケットどうしの連結により車体間を高精度に安定して連接し走行性能を高められる。
【００１９】
前記軸受が、球面軸受である、さらなる構成によれば、
鉄道車両における車体の下部での連接に適用して、車体間に必要などのような相対移動にも対応しながら、車体上部での他の部分での同種または異なった種類による連接と協働して車体連接構造の車両の走行を安定させられる。
【００２０】
球面軸受が縦軸方向に着脱できるように嵌合し合う上下軸受部材よりなり、上下軸受部材が上下中間ハウジングに縦軸方向に嵌合して固定される、さらなる構成によれば、
上下中間ハウジングと上下軸受部材との縦軸方向の嵌合を予め行っておき、上下ブラケットどうしの連結に際し、上下軸受部材どうしを難なく嵌合させて、さらに簡易に連結することができる。
【００２１】
また、下ブラケットが台車を有した車体に、上ブラケットが台車を有しない車体に設けられている、さらなる構成によれば、
台車を有した車体で台車を有しない車体をフローティング支持することが、上下ブラケット間に圧縮応力しか働かない支持構造にて安定にかつ耐久性よく達成される。
【００２２】
本発明のそれ以上の目的および特徴は、以下の詳細な説明および図面によって明らかになる。本発明の特徴は可能な限り、それ単独で、あるいは種々な組み合わせで複合して採用することができる。
【発明を実施するための最良の形態】
【００２３】
以下、本発明の実施の形態に係る車体の連接方法とその装置について図１〜図５を参照しながら説明し、本発明の理解に供する。なお、以下の説明および図示は、本発明の具体例であって、特許請求の範囲の記載内容を限定するものではない。
【００２４】
本実施の形態の、車体の連接方法とその装置は、図４に示すような台車１を有した３つの車体２と、台車を有しない２つの車体３とを連接し、台車のない車体３を低床車とした５連式の路面電車の場合の一例を示し、車体２、３間のメインの連接に適用して、必要な相対移動を許容しながら必要な方向の荷重伝達ができるようにしている。しかし、これに限られることはなく、例えば３連式の車両にも適用できるし、路面電車以外の鉄道車両はもとより、鉄道車両以外の車両も含めどのような車体間の連接にも適用することができる。
【００２５】
図１、図２、図３に示すように、車体２、３間を、それら車体２、３の下部中央から延びるブラケット４、５どうしを、軸受６を介し連結することにより車体２、３間を連接する。このため本実施の形態では、先ず、連接する車体２、３どうしに予めブラケット４、５を固定しておき、互いの連結部４ａ、５ａが車体２、３を伴い図２、図３に示すように上下に対向できるようにしておく。具体的には、車体２、３の連結による高さ関係を満足して所定の間隔を持って上下に対向し合うようにしておく。次いで、これらブラケット４、５の連結部４ａ、５ａを車体２、３を伴い上下に対向させながら近付けて、それらと前記軸受との縦軸Ｚ方向の嵌合による位置保持を満足して連結する。つまり、それら上下に対向させる上下連結部４ａ、５ａ上の前記縦軸Ｚ方向に直角な支持面４ｂ、５ｂにボルト７、９によりボルト止めする上下中間ハウジング８、１１の支持面４ｂ、５ｂに平行な方向の位置調節によってそれらに保持し、また保持している前記軸受６の保持位置を整合させて前記位置保持状態とした後、上下中間ハウジング８、１１を支持面４ｂ、６ｂにボルト止めして前記連結を終え、車体２、３間を連接する。
【００２６】
さらに具体的には、上側の連結部５ａはそれに対して前記縦軸Ｚ方向に直角な支持面５ｂに対し位置調節範囲の遊びＳ１を持った保持関係にてボルト７によりボルと止めする上中間ハウジング８との間で前記軸受６との縦軸Ｚ方向の嵌合を行い、下側の連結部４ａはそれに対して前記縦軸Ｚ方向に直角な支持面４ｂに対し位置調節範囲の遊びＳ２を持った保持関係にてボルト９によりボルト止めする下中間ハウジング１１との間で前記軸受６との縦軸Ｚ方向の嵌合を行い、上中間ハウジング８の上側連結部５ａに対する前記遊びＳ１内の位置調節と、下中間ハウジング１１の下側連結部４ａに対する前記遊びＳ２内の位置調節を伴って前記２つの嵌合のための位置関係を満足し、車体２、３間を連接する。
【００２７】
このような方法は、車体２、３に予め固定したブラケット４、５どうしを、それらの連結部４ａ、５ａを車体２、３を伴い上下に対向させて近付けながら軸受６との縦軸Ｚ方向の嵌合による位置保持を満足して連結し、車体２、３どうしを軸受６の種類に応じた相対移動の許容と荷重の伝達が行えるように連接するものであり、前記連結のための軸受６の保持を上下連結部４ａ、５ａ上の前記縦軸Ｚに直角な方向の支持面４ｂ、５ｂにボルト７、９によりボルト止めする上下中間ハウジング８、１１の位置調節によって、それに保持し、また保持している軸受６の保持位置を満足させて、上下ブラケット４、５自体の位置調節無しに、従って、上下連結部４ａ、５ａ上の、上下ブラケット４、５を含めた全体に比して小さく、かつボルト止めを少し緩めた程度の安定した上下中間ハウジング８、１１の、互いに分担し合った少ない位置調節により、高い嵌合度にても簡単かつ迅速に連結することがでる。この結果、高い位置保持嵌合度を確保して簡単かつ迅速に達成し作業性の向上と作業コストの低減が図れる。
【００２８】
しかも、位置調節後の上下中間ハウジング８、１１をその位置にボルト止めするだけで、支持面４ｂ、５ｂと上下中間ハウジング８、１１とのボルト締結圧による摩擦力にて安定するし、上下ブラケット４、５は位置調節不要で車体２、３に対して溶接などして強固に固定しておけるので、前記高い嵌合度を生かしたブラケット４、５どうしの連結により車体２、３間を高精度に安定して連接し、走行性能を高められる。
【００２９】
このような車体２、３の連接を行うのに、図に示す連接装置は、一方の車体２と他方の車体３とに予め固定されて少なくとも互いの連結部４ａ、５ａが上下に対向し合う上下ブラケット４、５と、これら上下ブラケット４、５の連結部４ａ、５ａ間を連結する軸受６と、この軸受６と上方から縦軸Ｚ方向に嵌合して固定し、上ブラケット５の前記縦軸Ｚに直角な支持面５ｂに対してその縦軸Ｚに直角な向きの位置調節範囲の遊びＳ１を持ってボルト７で締結される上中間ハウジング８と、前記軸受６と下方から縦軸Ｚ方向に嵌合して固定し、下ブラケット４の前記縦軸Ｚに直角な支持面５ｂに対してその縦軸Ｚに直角な向きの位置調節範囲の遊びＳ２を持ってボルト９で締結される下中間ハウジング１１と、を備えて車体２、３間を連接するようにしてあり、上記方法の手順をたどって車体２、３どうしを連接すればよい。
【００３０】
また、上中間ハウジング８が、上ブラケット５の例えば穴形状をしたポケット５ｃに対し下方から、下中間ハウジング１１が、下ブラケット４の例えば穴形状をしたポケット４ｃに対し上方から、それぞれ縦軸Ｚ方向に嵌合してその縦軸Ｚに直角な方向に前記位置調節範囲に見合う遊びＳ１、Ｓ２を持つ保持関係を満足している。これにより、上下ブラケット４、５は、軸受６に上下中間ハウジング８、１１が上下から縦軸Ｚ方向に嵌合し合った軸受ブロック２１を、上下から縦軸Ｚ方向に嵌合して挟み込む外ハウジング部２２をなして保持するので、保持が安定し、上下中間ハウジング８、１１の位置調節段階での万一の脱落や大きく位置ずれするのを防止することができる。
【００３１】
また、前記軸受６は球面軸受としてあって、既述したように鉄道車両における車体２、３の下部での連接に適用して、車体２、３間のヨーイングおよびピッチングに対応するのに好適で、ローリングにも対応できる。しかも、球面軸受６は、縦軸Ｚ方向に着脱できるように嵌合し合い案内し合う半球未満の凹球面６ｄと、半球未満に限らない凸球面６ｃとを持った上下軸受部材６ａ、６ｂよりなり、上軸受部材６ａが上中間ハウジング８に縦軸Ｚ方向に嵌合、保持してボルト１０で固定され、下軸受部材６ｂが下中間ハウジング１１に縦軸Ｚ方向に嵌合、保持してボルト２０で固定されたものとしてある。これにより、予め、上ブラケット５上の上中間ハウジング８への上軸受部材６ａを嵌合して固定し、および下ブラケット４上の下中間ハウジング１１への下軸受部材６ｂを嵌合して固定しておいて、上下ブラケット４、５における連結部４ａ、５ａ上の上下軸受部材６ａ、６ｂどうしの凹球面６ｄおよび凸球面６ｃを、凹球面６ｄが半球未満の開放形態であることを利用して縦軸Ｚ方向に難なく嵌合させて、連結部４ａ、５ａ間の球面軸受６を介した連結をさらに簡易に達成することができる。
【００３２】
しかも、下ブラケット４は台車１を有した車体３に設けられ、上ブラケット５は台車を有しない車体３に設けられていることにより、軸受６を介した上下ブラケット４、５の連結によって台車１を有した車体２で台車を有しない車体３をフローティング支持することが、台車１を有した車体２の下ブラケット４上に、台車を有しない車体３からの上ブラケット５を軸受６を介し受載することで、つまり上下ブラケット間に圧縮力しか働かない支持構造にて達成される。
【００３３】
ここで、各車体２、３間の一連の組立て、連接手順について総合的に説明すると以下の通りである。
【００３４】
（１）  組み上がった軸受６の下側軸受部材６ｂを下中間ハウジング１１に圧入などの手段で嵌め込み、ボルト２０により締結して軸受６および中間ハウジング１１の双方を固定する。
【００３５】
（２）  固定し合った軸受６と中間ハウジング１１とを１つの一次軸受ブロックとして取り扱い、その軸受６の上側軸受部材６ａを上中間ハウジング８に圧入などの手段で嵌め込み、ボルト１０により締結して軸受６および上中間ハウジング８の双方を固定し、二次軸受ブロックを組み上げる。しかし、（１）と（２）との手順は逆でもよい。要するに二次軸受ブロックを先組みすればよい。
【００３６】
（３）  二次軸受ブロックを車体２に先付けしている下ブラケット４に嵌め込み、ボルト９により二次軸受ブロックと下ブラケット４とを締結する。以上は連接前の手順となって連接部下に潜っての締結作業が不要になる。
【００３７】
（４）  最後に車体２、３を連接するのに、二次軸受ブロックを先組みしてある下ブラケット４の上に車体３に先付けしてある上ブラケット５を車体３を伴い上方より降ろして二次軸受ブロックの上ハウジング８に嵌め合わせ、ボルト７により上方から締結して、軸受ブロックおよび上ブラケット５の双方を固定し、上下ブラケット４、５どうしを連結し、車体２、３の連接を終える。
【００３８】
また、以上のような軸受６を介した車体２、３どうしの連接は、図１、図４に示すように全ての車体２、３間にて同様に行っているのに対し、これと組み合わせる他の部分での連接はその場所に適応した各種のものを採用している。図１に部分を示し、図４に全体を示す５連式の車両において、図の左端に示す台車１を持った車体２と、それに支持する台車のない車体２との間、およびこの車体２とこれに支持する中央の台車１を持った車体２との間では、車体２側に位置調節できるようにボルト止めしたブラケット３１に対し、車体３側に位置調節できるようにボルト止めした左右のブラケット３２に球面軸受３３を介して連結した可動ブラケット３４を、球面軸受３５を介して連結することで、車体２、３の上部どうしを連接し、車体２、３間のヨーイングを許容しながら前後、左右の荷重を伝達し、上下荷重を遮断するようにしている。図の右端に示す台車１を持った車体２とこれに支持する次の台車３との間でも、車体２側に位置調節できるようにボルト止めしたブラケット３１に対し、車体３側に位置調節できるようにボルト止めした左右のブラケット３２に球面軸受３３を介して連結した可動ブラケット３４を、球面軸受３５を介して連結することで、車体２、３の上部どうしを連接し、車体２、３間のヨーイングを許容しながら前後、左右の荷重を伝達し、上下荷重を遮断するようにしている。
【００３９】
一方、中央の台車１を持った車体２とその右側の車体３との間では、それらの上部の左右にボルト止めしたブラケット３６、３７間をアンチロールバー３８により球面軸受３９を介し連結することで、車体２、３の上部どうしを連接し、車体２、３間のピッチングおよびヨーイングを許容しながら左右、ローリング荷重を伝達するようにしている。
【００４０】
これらにより、台車１のある３つの車体２と台車のない２つの車体３とを連接した路面電車において、ローリングを適度に抑える連接剛性を得ながら、ヨーイングおよびピッチング特性を有した走行性のよいものとしている。
【００４１】
しかも、可動ブラケット３４による上下荷重の遮断は、車体３の車体２によるフローティング支持に各ブラケットの剛性不足などによる若干の沈み込みがあることに対し、車体２、３間側のブラケット３１、３２間に生じる段差に追従して傾斜することで対応することができ、損傷したり拗れたりすることはない。また、この可動ブラケット３４を用いた車体２、３間の連接部の左右でも車体２、３に対して位置張設できるようにボルト止めしたブラケット４１、４２間をヨーダンパ４３により球面軸受４４を介し連結した連接構造をも有し、高速走行時の走行安定性を高める。なお、図５に各球面軸受３３、３５、３９、４４の構造例を示している。
【産業上の利用可能性】
【００４２】
本発明は鉄道車の車体間の連接に実用でき、簡単かつ安価に、しかも高精度に安定して連接できることができる。
【図面の簡単な説明】
【００４３】
【図１】本発明の実施の形態に係る車体の連接方式を採用した車両の一部を示す斜視図である。
【図２】図１の車両の主たる連接部の断面図である。
【図３】図２の連接部の平面図である。
【図４】図１の車両の全体を示す平面図、側面図、下面図である。
【図５】図１の車両の主たる連接部以外の連接部に用いる球面軸受の断面図である。
【符号の説明】
【００４４】
１  台車
２、３  車体
４、５  ブラケット
４ａ、５ａ  連結部
４ａ、５ｂ  支持面
６  軸受（球面軸受）
６ａ  上軸受部材
６ｂ  下軸受部材
６ｃ  凸球面
６ｄ  凹球面
７、９、１０、２０  ボルト
８  上ハウジング
１１  下ハウジング
２１  軸受ブロック
２２  外ハウジング
Ｓ１、Ｓ２  遊び
【図１】
2005297682.tif 000003
【図２】
2005297682.tif 000004
【図３】
2005297682.tif 000005
【図４】
2005297682.tif 000006
【図５】
2005297682.tif 000007